(57)【特許請求の範囲】
【請求項１】
内部に飯器を収納し得るように構成された炊飯器本体と、該炊飯器本体の開口を開閉自在に覆蓋する蓋体と、前記飯器を加熱する加熱手段と、前記飯器の温度を検出する温度検出手段と備えた電気炊飯器であって、前記温度検出手段により検出された飯器温度の変化に基づいて前記加熱手段による加熱量を制御する際に、精白米を炊飯対象とする通常白米炊飯を含む各種メニューからなる通常メニューグループと無洗米を炊飯対象とする無洗米炊飯を含む各種メニューからなる無洗米メニューグループとを順次選択表示する表示部を付設するとともに、前記無洗米メニューグループが少なくとも１回選択されたことを検知した場合には、次回以降においては無洗米メニューグループを優先的に前記表示部に表示するようにしたことを特徴とする電気炊飯器。
【請求項２】
前記通常メニューグループと前記無洗米メニューグループとは、前記表示部における同一部位に択一的に表示されるようになっていることを特徴とする前記請求項１記載の電気炊飯器。
【請求項３】
前記無洗米メニューグループが１回以上選択表示された場合であって、前記通常メニューグループが１回選択表示された場合には、次回においては無洗米メニューグループが優先して表示されるようになっていることを特徴とする前記請求項１および２のいずれか一項記載の電気炊飯器。
【請求項４】
前記通常メニューグループが２回連続して選択表示された場合には、次回においては通常メニューグループが優先して表示されるようになっていることを特徴とする前記請求項３記載の電気炊飯器。
【請求項５】
前記通常メニューグループおよび無洗米メニューグループの選択表示中において操作部に設けられた取消しスイッチの操作が実行された場合には、当該選択表示中のメニューグループの初期設定が表示されるようになっていることを特徴とする前記請求項１、２、３および４のいずれか一項記載の電気炊飯器。
【請求項６】
前記通常メニューグループおよび無洗米メニューグループのうち優先して選択表示されているメニューグループと異なるメニューグループの選択表示を、操作部に設けられた特定の操作スイッチの操作により行うようにしたことを特徴とする前記請求項１、２、３および４のいずれか一項記載の電気炊飯器。
【発明の詳細な説明】
【０００１】
【発明の属する技術分野】
本願発明は、精白米および無洗米の両方を炊飯対象とし得るように構成された電気炊飯器に関するものである。
【０００２】
【従来の技術】
近年、白米の肌糠を除去した無洗米が、米を仕掛ける前に洗米する必要がないところから脚光をあびてきている。
【０００３】
上記した無洗米の場合、洗米を行うことなく炊飯することとなっているため、通常の精白米を炊飯する場合に比べて、米の水分が不足しがちとなる。そこで、無洗米を炊飯する場合、通常の精白米の場合に比べて吸水工程を若干長くする必要があり、通常の精白米の場合とは異なる炊飯特性で炊き上げなければならない。つまり、通常の精白米を炊飯する場合と無洗米を炊飯する場合とで、異なる炊飯コースを選択し且つこれを表示部（例えば、液晶表示装置等）に表示する必要が生じる。
【０００４】
例えば、精白米を炊飯するコース（即ち、通常白米コース）を優先して実行するように構成された電気炊飯器において、無洗米スイッチの操作により無洗米を炊飯するコース（即ち、無洗米コース）を選択できるようにしたものがある。
【０００５】
【発明が解決しようとする課題】
ところが、上記したように、通常白米コースを優先させ、無洗米スイッチの操作時のみ無洗米コースを選択できるようにした場合、次のような不具合が生じる。
▲１▼  無洗米を使用している人はいつも無洗米を使用しており、精白米を使用している人はいつも精白米を使用しているのが通例であり、無洗米を使用している人は、炊飯開始時にいつも無洗米スイッチを操作しなければならず、面倒である。▲２▼  無洗米スイッチを操作部に設けなければならないので、操作部におけるスイッチの数が増えてしまい、コストアップを招くこととなる。
【０００６】
本願発明は、上記の点に鑑みてなされたもので、無洗米メニューグループの選択履歴によって次回からのメニューグループの選択表示決定できるようにすることを目的とするものである。
【０００７】
【課題を解決するための手段】
請求項１の発明では、上記課題を解決するための手段として、内部に飯器を収納し得るように構成された炊飯器本体と、該炊飯器本体の開口を開閉自在に覆蓋する蓋体と、前記飯器を加熱する加熱手段と、前記飯器の温度を検出する温度検出手段と備えた電気炊飯器において、前記温度検出手段により検出された飯器温度の変化に基づいて前記加熱手段による加熱量を制御する際に、精白米を炊飯対象とする通常白米炊飯を含む各種メニューからなる通常メニューグループと無洗米を炊飯対象とする無洗米炊飯を含む各種メニューからなる無洗米メニューグループとを順次選択表示する表示部を付設するとともに、前記無洗米メニューグループが少なくとも１回選択されたことを検知した場合には、次回以降においては無洗米メニューグループを優先的に前記表示部に表示するようにしている。
【０００８】
上記のように構成したことにより、無洗米を炊飯対象とする無洗米炊飯を含む各種メニューからなる無洗米メニューグループが１回でも選択表示されると（換言すれば、無洗米を１回でも使用した場合）、次回からは無洗米を使用する可能性が極めて高いところから、無洗米メニューグループを優先して選択表示されることとなり、特別な操作スイッチを設けることなく、ユーザの意向に沿った形でのメニューグループの選択表示が行えることとなるのである。
【０００９】
請求項２の発明におけるように、請求項１記載の電気炊飯器において、前記通常メニューグループと前記無洗米メニューグループとを、前記表示部における同一部位に択一的に表示するようにした場合、表示部の構成が簡略化できる。
【００１０】
請求項３の発明におけるように、請求項１および２のいずれか一項記載の電気炊飯器において、前記無洗米メニューグループが１回以上選択表示された場合であって、前記通常メニューグループが１回選択表示された場合には、次回においては無洗米メニューグループを優先して表示するようにした場合、１回だけの通常メニューグループの選択表示は、ユーザが１回だけ替わり、次には元のユーザとなったと判断できるところから、本来のユーザにとって極めて便利となる。
【００１１】
請求項４の発明におけるように、請求項３記載の電気炊飯器において、前記通常メニューグループが２回連続して選択表示された場合には、次回においては通常メニューグループを優先して表示するようにした場合、２回連続して通常メニューグループが選択表示されたということは、ユーザが替わったか、ユーザの意向が変わったかを意味しており、ユーザの意志を尊重したメニューグループの選択表示を行うことができることとなり、使い勝手が極めて良好となる。
【００１２】
請求項５の発明におけるように、請求項１、２、３および４のいずれか一項記載の電気炊飯器において、前記通常メニューグループおよび無洗米メニューグループの選択表示中において操作部に設けられた取消しスイッチの操作が実行された場合には、当該選択表示中のメニューグループの初期設定を表示するようにした場合、メニューグループにおける各種メニューの選択時に取消しスイッチが操作されると、当該選択表示中のメニューグループの初期設定に戻ることとなっているので、同一のメニューグループにおいてメニュー選択を行えばよいこととなり、メニュー選択が容易となる。
【００１３】
請求項６の発明におけるように、請求項１、２、３および４のいずれか一項記載の電気炊飯器において、前記通常メニューグループおよび無洗米メニューグループのうち優先して選択表示されているメニューグループと異なるメニューグループの選択表示を、操作部に設けられた特定の操作スイッチの操作により行うようにした場合、特定の操作スイッチ（例えば、再加熱スイッチ）の操作により、優先して選択表示されているメニューグループと異なるメニューグループを選択表示することができることとなり、専用のスイッチを設ける必要がなくなり、コストダウンに寄与する。
【００１４】
【発明の実施の形態】
以下、添付の図面を参照して、本願発明の好適な実施の形態について詳述する。
【００１５】
この電気炊飯器は、内部に炊飯用の飯器３を収納し得るように構成され且つ空間部４を有する二重構造の炊飯器本体１と、該炊飯器本体１の上部開口を開閉自在に覆蓋する蓋体２とを備えている。
【００１６】
前記炊飯器本体１は、外側壁となる胴部５ａと底壁となる底部５ｂとを有する合成樹脂の一体成形品からなる外ケース５と、内周壁となる合成樹脂製の有底筒状の保護枠６と、該保護枠６の上端と前記外ケース５の上端とを結合する合成樹脂製の肩部材７とによって構成されており、前記外ケース５、保護枠６および肩部材７に囲まれて前記空間部４が形成されている。なお、前記保護枠６内には、前記飯器３が取り出し可能に収納されることとなっている。
【００１７】
前記保護枠６の底面中央部には、飯器温度を検出するための温度検出手段として作用するセンタセンサー８を臨ませるためのセンサー穴９が形成されている。
【００１８】
前記センサー穴９を包囲するように炊飯時における加熱手段として作用する環状の電磁誘導コイル（以下、ワークコイルという）１０が前記保護枠６の底面および該底面から側周面に至る間の湾曲部に対応して配設されている。該ワークコイル１０は、交番磁界を発生するものであり、該交番磁界の電磁誘導により前記飯器３に誘導渦電流を発生させ、該誘導渦電流の抵抗熱を利用して加熱するものとされている。なお、飯器３は、ワークコイル１０により誘導渦電流を発生させることのできる材質（例えば、磁性体材料）により構成される。
【００１９】
前記ワークコイル１０は、前記保護枠６の底面に対して固定されたコイルダイ１１と前記保護枠６の底面との間に挟持されている。符号１２はフェライトコアであり、ワークコイル１０による磁気が下方に存在する機器に対して影響を及ぼさないように遮閉する作用をなす。
【００２０】
前記センサー穴９内には、前記飯器３の底部に対して接触するようにしてセンタセンサー８が設けられている。また、前記保護枠６の側周面には、保温時における加熱手段として作用する保温ヒータ１３が取り付けられている。
【００２１】
前記炊飯器本体１の底部（即ち、外ケース５の底部５ｂ）には、前記ワークコイル１０の通電制御を行うためのパワートランジスタおよび整流用ダイオードブリッジ（図示省略）等の電子部品へ冷却風を圧送する電子部品冷却ファン１４が配設されている。また、前記炊飯器本体１の底壁（具体的には、外ケース５の底部５ｂ）には、前記電子部品冷却ファン１４に対向して空気入口１５が形成されている。
【００２２】
一方、前記蓋体２は、外面を構成する合成樹脂製の上板１６と、内面を構成する合成樹脂製の下板１７とによって構成されており、前記上下板１６，１７に囲まれた空間部１８には、断熱材１９が配設されている。
【００２３】
この蓋体２は、前記肩部材７の一側に形成されたヒンジユニット２０を介して炊飯器本体１に対して弧回動自在且つ着脱自在に取り付けられている。
【００２４】
そして、前記蓋体２の中央部には、前記上板１６から垂設された筒部２１が形成されており、該筒部２１内には、炊飯時に発生する水蒸気を外部へ排出するための蒸気排出通路２２を有するスチームキャップ２３が着脱自在に取り付けられている。該スチームキャップ２３内には、調圧弁として作用するボール弁２４が配設されている。前記スチームキャップ２３の下端には、前記蓋体２の閉止時に前記飯器３の開口部３ａを密閉するための熱良導体（例えば、アルミ合金）からなる放熱板２５が取り付けられている。符号２６はスチームキャップ２３への蒸気入口、２７はスチームキャップ２４からの蒸気出口、２８は放熱板２５に形成された蒸気口、２９は放熱板２５の周縁と飯器３の開口部３ａとの間をシールするシールパッキン、３０は放熱板２５と蓋体下板１７との間をシールするシールパッキンである。
【００２５】
前記肩部材７には、肩ヒータ３１が設けられており、該肩ヒータ３１に対しては、前記蓋体２の閉止時に放熱板２５の外周縁が圧接され、放熱板２５は肩ヒータ３１からの熱伝導により加熱されることとなっている。この肩ヒータ３１は、断面逆Ｕ字状のヒータリング３２と、該ヒータリング３２内に配設された発熱体３３とからなっている。
【００２６】
また、前記蓋体２には、前記放熱板２５の内方に位置し、該放熱板２５との間に空間部を介在させた状態で前記飯器３の開口部３ａより内方に臨ませ且つその外周を前記飯器３の内周面に近接させて支持された熱良導体からなる内蓋３４が設けられている。該内蓋３４は、前記スチームキャップ２３の中心部に下向きに突設された支持軸３５に対して着脱自在に嵌着されるシールパッキン３６に取り付けられている。
【００２７】
前記炊飯器本体１内の側方部位（例えば、ヒンジユニット２０側）おける空間部４には、送風ファン３７が前記肩部材７に取り付けられた状態で配置されている。該送風ファン３７は、スクロールタイプのファンケーシングを有する遠心ファンとされている。
【００２８】
前記送風ファン３７の吐出口３７ａには、ダクト３８が接続されており、該ダクト３８の上端は、前記肩部材７に形成された環状通路３９の入口３９ａに臨まされている。また、前記肩部材７には、前記環状通路３９と前記飯器３と前記保護枠６との間に形成される環状の隙間Ｃの上部とを連通する複数の連通口４０が形成されている。つまり、前記送風ファン３７からの送風は、前記ダクト３８、環状通路３９および連通口４０を介して前記隙間Ｃの上部へ供給されることとなっているのである。符号４１は前記外ケース５の胴部５ａの下部に形成された空気取り入れ口である。
【００２９】
前記炊飯器本体１の反ヒンジ側（即ち、蓋体２をロックするロック機構４２が設けられている側）における空間部４には、ワークコイル１０、保温ヒータ１３および肩ヒータ３１等への通電制御を司る制御ユニットが組み込まれた制御基板４３が配設される一方、前記肩部材７における反ヒンジ側（即ち、蓋体２をロックするロック機構４２が設けられている側）には、各種操作スイッチ類（例えば、炊飯スイッチ、予約スイッチ等）および表示装置として作用する液晶表示装置を備えた操作パネル部４４が設けられている。
【００３０】
該操作パネル部４４は操作部となるものであり、該操作パネル部４４には、図２に示すように、炊飯スイッチ４５、予約スイッチ４６、取消スイッチ４７、保温スイッチ４８、再加熱スイッチ４９、メニュースイッチ５０、時スイッチ５１、分スイッチ５２および表示部として作用する液晶表示装置５３が設けられている。該液晶表示装置５３内には、メニュースイッチ５０の操作に応じて順次点灯して表示される各種メニュー（「白米」、「早炊き」、「玄米」、「分づき」、「おかゆ」、「炊込み」、「おこわ」、「ピラフ」および「蒸し」）が表示されている。
【００３１】
本実施の形態においては、「白米」、「早炊き」、「玄米」、「分づき」、「おかゆ」、「炊込み」、「おこわ」、「ピラフ」および「蒸し」が一斉点灯された後、上記メニュー順で消灯する各種メニューにより精白米を炊飯対象とする通常白米炊飯を含む通常メニューグループＡが構成される一方、「無洗米」が点灯された状態で、「白米」、「早炊き」、「玄米」、「分づき」、「おかゆ」、「炊込み」、「おこわ」、「ピラフ」および「蒸し」が一斉点灯された後、上記メニュー順で消灯する各種メニューにより無洗米を炊飯対象とする無洗米白米炊飯を含む無洗米メニューグループＢが構成されることとなっている。従って、通常メニューグループＡが選択表示されている時には、無洗米メニューグループＢはマスキング状態とされていて表面に現れず、無洗米メニューグループＢが選択表示されている時には、通常メニューグループＡはマスキング状態とされていて表面に現れないこととなっている。つまり、前記通常メニューグループＡと前記無洗米メニューグループＢとは、前記液晶表示装置５３における同一部位に択一的に表示するることとなっているのである。このようにすると、表示部である液晶表示装置５３の構成が簡略化できる。
【００３２】
なお、ここで、無洗米メニューグループＢにおいて、実際に無洗米が使用されるメニューは、「白米」、「早炊き」、「おかゆ」、「炊込み」および「ピラフ」の各メニューである。「玄米」、「分づき」、「おこわ」および「蒸し」の各メニューにおいては、無洗米が使用されておらず、通常メニューグループＡと実質的に同一であるが、通常メニューグループＡと無洗米メニューグループＢとのメニュー数を同じとするために、無洗米メニューグループＢに含ませている。
【００３３】
ついで、図３に示す電気回路図に基づいて、本実施の形態にかかる電気炊飯器における電気的構成を説明する。なお、図１および図２に示された各部に対応する部分には同一の参照符号を付して示す。
【００３４】
商用交流電源５４からの電力は、飯器３の異常加熱を検知して溶断する温度ヒューズ５５および整流回路５６を経てワークコイル１０に供給されるとともに、保温ヒータ１３および肩ヒータ３１にも供給されることとなっている。符号５７は平滑コンデンサ、５８は共振コンデンサ、５９，６０はヒータ駆動回路である。
【００３５】
前記ワークコイル１０には、マイクロコンピュータユニット（以下、マイコンと略称する）６１からＩＧＢＴドライブ回路６２を経た指令によりＯＮ／ＯＦＦ制御されるパワートランジスタ６３からの制御信号が与えられることとなっている。
【００３６】
前記マイコン６１は、所定のプログラムに従ってパワートランジスタ６３の制御を行い、これによりワークコイル１０への通電を制御する。この通電制御は、前記センターセンサ８（図１参照）内に内蔵されたサーミスタ６４からの出力信号に基づいて行なわれる。
【００３７】
上記マイコン６１は、通常の各種制御機能に加えて、無洗米メニューグループＢが少なくとも１回選択されたことを検知した場合には、次回以降においては無洗米メニューグループＢを優先的に液晶表示装置５３に表示する機能と、前記通常メニューグループＡおよび無洗米メニューグループＢの選択表示中において操作パネル部４４に設けられた取消しスイッチ４７の操作が実行された場合には、当該選択表示中のメニューグループの初期設定を表示する機能と、前記無洗米メニューグループＢが１回以上選択表示された場合であって、前記通常メニューグループＡが１回選択表示された場合には、次回においては無洗米メニューグループＢを優先して表示する機能と、前記通常メニューグループＡが２回連続して選択表示された場合には、次回においては通常メニューグループＡを優先して表示する機能とを有している。
【００３８】
（Ｉ）  メニュー選択表示制御（Ｉ）（図４のフローチャート参照）
この場合、メニュースイッチ５０の操作によって通常メニューグループＡにおける各種メニューから無洗米メニューグループＢにおける各種メニューへと順次選択表示されることとなっている。
【００３９】
ステップＳ１においてメニュースイッチ５０が操作されたと確認されると、ステップＳ２において選択メニューが「通常白米」か否かの判定がなされ、ここで肯定判定されると、ステップＳ３において「通常白米」が消灯され、「通常早炊き」が指定されて、ステップＳ１へリターンする。
【００４０】
ステップＳ２において否定判定された場合には、ステップＳ４に進んで選択メニューが「通常早炊き」か否かの判定がなされ、ここで肯定判定されると、ステップＳ５において「通常早炊き」が消灯され、「通常玄米」が指定されて、ステップＳ１へリターンする。
【００４１】
ステップＳ４において否定判定された場合には、ステップＳ６に進んで選択メニューが「通常玄米」か否かの判定がなされ、ここで肯定判定されると、ステップＳ７において「通常玄米」が消灯され、「通常分づき」が指定されて、ステップＳ１へリターンする。
【００４２】
ステップＳ６において否定判定された場合には、ステップＳ８に進んで選択メニューが「通常分づき」か否かの判定がなされ、ここで肯定判定されると、ステップＳ９において「通常分づき」が消灯され、「通常おかゆ」が指定されて、ステップＳ１へリターンする。
【００４３】
ステップＳ８において否定判定された場合には、ステップＳ１０に進んで選択メニューが「通常おかゆ」か否かの判定がなされ、ここで肯定判定されると、ステップＳ１１において「通常おかゆ」が消灯され、「通常炊込み」が指定されて、ステップＳ１へリターンする。
【００４４】
ステップＳ１０において否定判定された場合には、ステップＳ１２に進んで選択メニューが「通常炊込み」か否かの判定がなされ、ここで肯定判定されると、ステップＳ１３において「通常炊込み」が消灯され、「通常おこわ」が指定されて、ステップＳ１へリターンする。
【００４５】
ステップＳ１２において否定判定された場合には、ステップＳ１４に進んで選択メニューが「通常おこわ」か否かの判定がなされ、ここで肯定判定されると、ステップＳ１５において「通常おこわ」が消灯され、「通常ピラフ」が指定されて、ステップＳ１へリターンする。
【００４６】
ステップＳ１４において否定判定された場合には、ステップＳ１６に進んで選択メニューが「通常ピラフ」か否かの判定がなされ、ここで肯定判定されると、ステップＳ１７において「通常ピラフ」が消灯され、「通常蒸し」が指定されて、ステップＳ１へリターンする。
【００４７】
ステップＳ１６において否定判定された場合には、ステップＳ１８に進んで選択メニューが「通常蒸し」か否かの判定がなされ、ここで肯定判定されると、ステップＳ１９において「通常蒸し」が消灯され、「無洗米白米」が指定されて、ステップＳ１へリターンする。
【００４８】
ステップＳ１８において否定判定された場合には、ステップＳ２０に進んで選択メニューが「無洗米白米」か否かの判定がなされ、ここで肯定判定されると、ステップＳ２１において「無洗米白米」が消灯され、「無洗米早炊き」が指定されて、ステップＳ１へリターンする。
【００４９】
ステップＳ２０において否定判定された場合には、ステップＳ２２に進んで選択メニューが「無洗米早炊き」か否かの判定がなされ、ここで肯定判定されると、ステップＳ２３において「無洗米早炊き」が消灯され、「無洗米玄米」が指定されて、ステップＳ１へリターンする。
【００５０】
ステップＳ２２において否定判定された場合には、ステップＳ２４に進んで選択メニューが「無洗米玄米」か否かの判定がなされ、ここで肯定判定されると、ステップＳ２５において「無洗米玄米」が消灯され、「無洗米分づき」が指定されて、ステップＳ１へリターンする。
【００５１】
ステップＳ２４において否定判定された場合には、ステップＳ２６に進んで選択メニューが「無洗米分づき」か否かの判定がなされ、ここで肯定判定されると、ステップＳ２７において「無洗米分づき」が消灯され、「無洗米おかゆ」が指定されて、ステップＳ１へリターンする。
【００５２】
ステップＳ２６において否定判定された場合には、ステップＳ２８に進んで選択メニューが「無洗米おかゆ」か否かの判定がなされ、ここで肯定判定されると、ステップＳ２９において「無洗米おかゆ」が消灯され、「無洗米炊込み」が指定されて、ステップＳ１へリターンする。
【００５３】
ステップＳ２８において否定判定された場合には、ステップＳ３０に進んで選択メニューが「無洗米炊込み」か否かの判定がなされ、ここで肯定判定されると、ステップＳ３１において「無洗米炊込み」が消灯され、「無洗米おこわ」が指定されて、ステップＳ１へリターンする。
【００５４】
ステップＳ３０において否定判定された場合には、ステップＳ３２に進んで選択メニューが「無洗米おこわ」か否かの判定がなされ、ここで肯定判定されると、ステップＳ３３において「無洗米おこわ」が消灯され、「無洗米ピラフ」が指定されて、ステップＳ１へリターンする。
【００５５】
ステップＳ３２において否定判定された場合には、ステップＳ３４に進んで選択メニューが「無洗米ピラフ」か否かの判定がなされ、ここで肯定判定されると、ステップＳ３５において「無洗米ピラフ」が消灯され、「無洗米蒸し」が指定されて、ステップＳ１へリターンする。
【００５６】
ステップＳ３４において否定判定された場合には、ステップＳ３６に進んで選択メニューが「無洗米蒸し」か否かの判定がなされ、ここで肯定判定されると、ステップＳ３７において「無洗米蒸し」が消灯され、「通常白米」が指定されて、ステップＳ１へリターンする。
【００５７】
上記したように、メニュースイッチ５０の操作に応じて、指定されたメニューが優先して選択表示されることとなるのである。
【００５８】
（ＩＩ）  メニュー選択表示制御（ＩＩ）（図５のフローチャート参照）
この場合、通常メニューグループＡおよび無洗米メニューグループＢの選択表示中において取消しスイッチ４７の操作が実行された場合には、当該選択表示中のメニューグループの初期設定を表示するようにしている。
【００５９】
ステップＳ１において取消しスイッチ４７が操作されたと確認されると、スイッチ２において選択メニューが「通常白米」か否かの判定がなされ、ここで肯定判定された場合には、ステップＳ１１に進んで各メニューが取り消され、ステップＳ１２において通常メニューグループＡにおける初期設定メニューである「通常白米」がセットされた後にステップＳ１へリターンする。
【００６０】
ステップＳ２において否定判定された場合には、ステップＳ３に進んで選択メニューが「通常早炊き」か否かの判定がなされ、ここで肯定判定されると、ステップＳ１１に進んで各メニューが取り消され、ステップＳ１２において通常メニューグループＡにおける初期設定メニューである「通常白米」がセットされた後にステップＳ１へリターンする。
【００６１】
ステップＳ３において否定判定された場合には、ステップＳ４に進んで選択メニューが「通常玄米」か否かの判定がなされ、ここで肯定判定されると、ステップＳ１１に進んで各メニューが取り消され、ステップＳ１２において通常メニューグループＡにおける初期設定メニューである「通常白米」がセットされた後にステップＳ１へリターンする。
【００６２】
ステップＳ４において否定判定された場合には、ステップＳ５に進んで選択メニューが「通常分づき」か否かの判定がなされ、ここで肯定判定されると、ステップＳ１１に進んで各メニューが取り消され、ステップＳ１２において通常メニューグループＡにおける初期設定メニューである「通常白米」がセットされた後にステップＳ１へリターンする。
【００６３】
ステップＳ５において否定判定された場合には、ステップＳ６に進んで選択メニューが「通常おかゆ」か否かの判定がなされ、ここで肯定判定されると、ステップＳ１１に進んで各メニューが取り消され、ステップＳ１２において通常メニューグループＡにおける初期設定メニューである「通常白米」がセットされた後にステップＳ１へリターンする。
【００６４】
ステップＳ６において否定判定された場合には、ステップＳ７に進んで選択メニューが「通常炊込み」か否かの判定がなされ、ここで肯定判定されると、ステップＳ１１に進んで各メニューが取り消され、ステップＳ１２において通常メニューグループＡにおける初期設定メニューである「通常白米」がセットされた後にステップＳ１へリターンする。
【００６５】
ステップＳ７において否定判定された場合には、ステップＳ８に進んで選択メニューが「通常おこわ」か否かの判定がなされ、ここで肯定判定されると、ステップＳ１１に進んで各メニューが取り消され、ステップＳ１２において通常メニューグループＡにおける初期設定メニューである「通常白米」がセットされた後にステップＳ１へリターンする。
【００６６】
ステップＳ８において否定判定された場合には、ステップＳ９に進んで選択メニューが「通常ピラフ」か否かの判定がなされ、ここで肯定判定されると、ステップＳ１１に進んで各メニューが取り消され、ステップＳ１２において通常メニューグループＡにおける初期設定メニューである「通常白米」がセットされた後にステップＳ１へリターンする。
【００６７】
ステップＳ９において否定判定された場合には、ステップＳ１０に進んで選択メニューが「通常蒸し」か否かの判定がなされ、ここで肯定判定されると、ステップＳ１１に進んで各メニューが取り消され、ステップＳ１２において通常メニューグループＡにおける初期設定メニューである「通常白米」がセットされた後にステップＳ１へリターンする。
【００６８】
ステップＳ１０において否定判定された場合には、ステップＳ１３に進んで選択メニューが「無洗米白米」か否かの判定がなされ、ここで肯定判定されると、ステップＳ２２に進んで各メニューが取り消され、ステップＳ２３において無洗米メニューグループＢにおける初期設定メニューである「無洗米白米」がセットされた後にステップＳ１へリターンする。
【００６９】
ステップＳ１３において否定判定された場合には、ステップＳ１４に進んで選択メニューが「無洗米早炊き」か否かの判定がなされ、ここで肯定判定されると、ステップＳ２２に進んで各メニューが取り消され、ステップＳ２３において無洗米メニューグループＢにおける初期設定メニューである「無洗米白米」がセットされた後にステップＳ１へリターンする。
【００７０】
ステップＳ１４において否定判定された場合には、ステップＳ１５に進んで選択メニューが「無洗米玄米」か否かの判定がなされ、ここで肯定判定されると、ステップＳ２２に進んで各メニューが取り消され、ステップＳ２３において無洗米メニューグループＢにおける初期設定メニューである「無洗米白米」がセットされた後にステップＳ１へリターンする。
【００７１】
ステップＳ１５において否定判定された場合には、ステップＳ１６に進んで選択メニューが「無洗米分づき」か否かの判定がなされ、ここで肯定判定されると、ステップＳ２２に進んで各メニューが取り消され、ステップＳ２３において無洗米メニューグループＢにおける初期設定メニューである「無洗米白米」がセットされた後にステップＳ１へリターンする。
【００７２】
ステップＳ１６において否定判定された場合には、ステップＳ１７に進んで選択メニューが「無洗米おかゆ」か否かの判定がなされ、ここで肯定判定されると、ステップＳ２２に進んで各メニューが取り消され、ステップＳ２３において無洗米メニューグループＢにおける初期設定メニューである「無洗米白米」がセットされた後にステップＳ１へリターンする。
【００７３】
ステップＳ１７において否定判定された場合には、ステップＳ１８に進んで選択メニューが「無洗米炊込み」か否かの判定がなされ、ここで肯定判定されると、ステップＳ２２に進んで各メニューが取り消され、ステップＳ２３において無洗米メニューグループＢにおける初期設定メニューである「無洗米白米」がセットされた後にステップＳ１へリターンする。
【００７４】
ステップＳ１８において否定判定された場合には、ステップＳ１９に進んで選択メニューが「無洗米おこわ」か否かの判定がなされ、ここで肯定判定されると、ステップＳ２２に進んで各メニューが取り消され、ステップＳ２３において無洗米メニューグループＢにおける初期設定メニューである「無洗米白米」がセットされた後にステップＳ１へリターンする。
【００７５】
ステップＳ１９において否定判定された場合には、ステップＳ２０に進んで選択メニューが「無洗米ピラフ」か否かの判定がなされ、ここで肯定判定されると、ステップＳ２２に進んで各メニューが取り消され、ステップＳ２３において無洗米メニューグループＢにおける初期設定メニューである「無洗米白米」がセットされた後にステップＳ１へリターンする。
【００７６】
ステップＳ２０において否定判定された場合には、ステップＳ２１に進んで選択メニューが「無洗米蒸し」か否かの判定がなされ、ここで肯定判定されると、ステップＳ２２に進んで各メニューが取り消され、ステップＳ２３において無洗米メニューグループＢにおける初期設定メニューである「無洗米白米」がセットされた後にステップＳ１へリターンする。
【００７７】
（ＩＩＩ）  メニュー選択表示制御（ＩＩＩ）（図６のフローチャート参照）この場合、無洗米メニューグループＢが少なくとも１回選択されたことを検知した場合には、次回以降においては無洗米メニューグループＢを優先的に液晶表示装置５３に表示するとともに、通常メニューグループＡおよび無洗米メニューグループＢのうち優先して選択表示されているメニューグループと異なるメニューグループの選択表示を、特定の操作スイッチ（例えば、再加熱スイッチ４９）の操作により行うようにしている。
【００７８】
ステップＳ１においてメニュースイッチ５０が操作されたと確認されると、ステップＳ２において再加熱スイッチ４９が操作されたか否かの判定がなされ、ここで否定判定された場合には、そのままステップＳ４に進むが、肯定判定された場合には、ステップＳ３において通常メニューグループＡが選択されている時には、無洗米メニューグループＢへと変更され、無洗米メニューグループＢが選択されている時には、通常メニューグループＡへと変更され、その後ステップＳ４に進む。
【００７９】
ステップＳ４においては選択されているメニューグループが通常メニューグループＡであるか否かの判定がなされ、ここで肯定判定された場合には、ステップＳ５において選択メニューが「通常白米」か否かの判定がなされ、ここで肯定判定されると、ステップＳ６において「通常白米」が消灯され、「通常早炊き」が指定されて、ステップＳ１へリターンする。
【００８０】
ステップＳ５において否定判定された場合には、ステップＳ７に進んで選択メニューが「通常早炊き」か否かの判定がなされ、ここで肯定判定されると、ステップＳ８において「通常早炊き」が消灯され、「通常玄米」が指定されて、ステップＳ１へリターンする。
【００８１】
ステップＳ７において否定判定された場合には、ステップＳ９に進んで選択メニューが「通常玄米」か否かの判定がなされ、ここで肯定判定されると、ステップＳ１０において「通常玄米」が消灯され、「通常分づき」が指定されて、ステップＳ１へリターンする。
【００８２】
ステップＳ９において否定判定された場合には、ステップＳ１１に進んで選択メニューが「通常分づき」か否かの判定がなされ、ここで肯定判定されると、ステップＳ１２において「通常分づき」が消灯され、「通常おかゆ」が指定されて、ステップＳ１へリターンする。
【００８３】
ステップＳ１１において否定判定された場合には、ステップＳ１３に進んで選択メニューが「通常おかゆ」か否かの判定がなされ、ここで肯定判定されると、ステップＳ１４において「通常おかゆ」が消灯され、「通常炊込み」が指定されて、ステップＳ１へリターンする。
【００８４】
ステップＳ１３において否定判定された場合には、ステップＳ１５に進んで選択メニューが「通常炊込み」か否かの判定がなされ、ここで肯定判定されると、ステップＳ１６において「通常炊込み」が消灯され、「通常おこわ」が指定されて、ステップＳ１へリターンする。
【００８５】
ステップＳ１５において否定判定された場合には、ステップＳ１７に進んで選択メニューが「通常おこわ」か否かの判定がなされ、ここで肯定判定されると、ステップＳ１８において「通常おこわ」が消灯され、「通常ピラフ」が指定されて、ステップＳ１へリターンする。
【００８６】
ステップＳ１７において否定判定された場合には、ステップＳ１９に進んで選択メニューが「通常ピラフ」か否かの判定がなされ、ここで肯定判定されると、ステップＳ２０において「通常ピラフ」が消灯され、「通常蒸し」が指定されて、ステップＳ１へリターンする。
【００８７】
ステップＳ１９において否定判定された場合には、ステップＳ２１に進んで選択メニューが「通常蒸し」か否かの判定がなされ、ここで肯定判定されると、ステップＳ２２において「通常蒸し」が消灯され、「通常白米」が指定されて、ステップＳ１へリターンする。ステップＳ２１において否定判定された場合にもステップＳ１へリターンする。
【００８８】
一方、ステップＳ４において否定判定された場合には、ステップＳ２３に進んで選択メニューが「無洗米白米」か否かの判定がなされ、ここで肯定判定されると、ステップＳ２４において「無洗米白米」が消灯され、「無洗米早炊き」が指定されて、ステップＳ１へリターンする。
【００８９】
ステップＳ２３において否定判定された場合には、ステップＳ２５に進んで選択メニューが「無洗米早炊き」か否かの判定がなされ、ここで肯定判定されると、ステップＳ２６において「無洗米早炊き」が消灯され、「無洗米玄米」が指定されて、ステップＳ１へリターンする。
【００９０】
ステップＳ２５において否定判定された場合には、ステップＳ２７に進んで選択メニューが「無洗米玄米」か否かの判定がなされ、ここで肯定判定されると、ステップＳ２８において「無洗米玄米」が消灯され、「無洗米分づき」が指定されて、ステップＳ１へリターンする。
【００９１】
ステップＳ２７において否定判定された場合には、ステップＳ２９に進んで選択メニューが「無洗米分づき」か否かの判定がなされ、ここで肯定判定されると、ステップＳ３０において「無洗米分づき」が消灯され、「無洗米おかゆ」が指定されて、ステップＳ１へリターンする。
【００９２】
ステップＳ２９において否定判定された場合には、ステップＳ３１に進んで選択メニューが「無洗米おかゆ」か否かの判定がなされ、ここで肯定判定されると、ステップＳ３２において「無洗米おかゆ」が消灯され、「無洗米炊込み」が指定されて、ステップＳ１へリターンする。
【００９３】
ステップＳ３１において否定判定された場合には、ステップＳ３３に進んで選択メニューが「無洗米炊込み」か否かの判定がなされ、ここで肯定判定されると、ステップＳ３４において「無洗米炊込み」が消灯され、「無洗米おこわ」が指定されて、ステップＳ１へリターンする。
【００９４】
ステップＳ３３において否定判定された場合には、ステップＳ３５に進んで選択メニューが「無洗米おこわ」か否かの判定がなされ、ここで肯定判定されると、ステップＳ３６において「無洗米おこわ」が消灯され、「無洗米ピラフ」が指定されて、ステップＳ１へリターンする。
【００９５】
ステップＳ３５において否定判定された場合には、ステップＳ３７に進んで選択メニューが「無洗米ピラフ」か否かの判定がなされ、ここで肯定判定されると、ステップＳ３８において「無洗米ピラフ」が消灯され、「無洗米蒸し」が指定されて、ステップＳ１へリターンする。
【００９６】
ステップＳ３７において否定判定された場合には、ステップＳ３９に進んで選択メニューが「無洗米蒸し」か否かの判定がなされ、ここで肯定判定されると、ステップＳ４０において「無洗米蒸し」が消灯され、「無洗米白米」が指定されて、ステップＳ１へリターンする。ステップＳ３９において否定判定された場合にもステップＳ１へリターンする。
【００９７】
（ＩＶ）  メニュー選択表示制御（ＩＶ）（図７のフローチャート参照）
この場合、無洗米メニューグループＢが１回以上選択表示された場合であって、通常メニューグループＡが１回選択表示された場合には、次回においては無洗米メニューグループＢが優先して表示され、且つ通常メニューグループＡが２回連続して選択表示された場合には、次回においては通常メニューグループＡが優先して表示されることとなっている。
【００９８】
ステップＳ１において無洗米メニューグループＢが選択表示されたか否かの判定がなされ、ここで肯定判定された場合には、ステップＳ２に進んで無洗米メニューグループＢが指定されるが、否定判定された場合には、ステップＳ５に進んで通常メニューグループＡが指定され、その後ステップＳ１へリターンする。
【００９９】
ステップＳ３においては通常メニューグループＡが選択表示されたか否かの判定がなされ、ここで肯定判定され且つステップＳ４において２回連続して通常メニューグループＡが選択表示されたと判定された場合には、ステップＳ５において通常メニューグループＡが指定されるが、ステップＳ３およびステップＳ４において否定判定された場合には、ステップＳ２に戻り無洗米メニューグループＢが指定される。
【０１００】
上記実施の形態においては、通常メニューグループＡと無洗米メニューグループＢとのメニュー数を同一としているが、かならずしも同一数とする必要はない。
【０１０１】
また、実施の形態においては、通常メニューグループＡと無洗米メニューグループＢとの間でどちらを優先して選択表示するかについて説明したが、低アミロース米、軟質米あるいは硬質米のような特徴をもった米がこだわりを持った人に食されることが考えられところから、上記説明における「無洗米」を「低アミロース米」、「軟質米」あるいは「硬質米」と言い換えることもできる。
【０１０２】
さらに、上記実施の形態においては、炊飯用加熱手段としてワークコイルを用いているが、本願発明は、炊飯用加熱手段として電気ヒータを用いたものにも適用可能なことは勿論である。
【０１０３】
【発明の効果】
請求項１の発明によれば、内部に飯器を収納し得るように構成された炊飯器本体と、該炊飯器本体の開口を開閉自在に覆蓋する蓋体と、前記飯器を加熱する加熱手段と、前記飯器の温度を検出する温度検出手段と備えた電気炊飯器において、前記温度検出手段により検出された飯器温度の変化に基づいて前記加熱手段による加熱量を制御する際に、精白米を炊飯対象とする通常白米炊飯を含む各種メニューからなる通常メニューグループと無洗米を炊飯対象とする無洗米炊飯を含む各種メニューからなる無洗米メニューグループとを順次選択表示する表示部を付設するとともに、前記無洗米メニューグループが少なくとも１回選択されたことを検知した場合には、次回以降においては無洗米メニューグループを優先的に前記表示部に表示するようにしているので、特別な操作スイッチを設けることなく、ユーザの意向に沿った形でのメニューグループの選択表示を行うことができるという効果がある。
【０１０４】
請求項２の発明におけるように、請求項１記載の電気炊飯器において、前記通常メニューグループと前記無洗米メニューグループとを、前記表示部における同一部位に択一的に表示するようにした場合、表示部の構成が簡略化できる。
【０１０５】
請求項３の発明におけるように、請求項１および２のいずれか一項記載の電気炊飯器において、前記無洗米メニューグループが１回以上選択表示された場合であって、前記通常メニューグループが１回選択表示された場合には、次回においては無洗米メニューグループを優先して表示するようにした場合、１回だけの通常メニューグループの選択表示は、ユーザが１回だけ替わり、次には元のユーザとなったと判断できるところから、本来のユーザにとって極めて便利となる。
【０１０６】
請求項４の発明におけるように、請求項３記載の電気炊飯器において、前記通常メニューグループが２回連続して選択表示された場合には、次回においては通常メニューグループを優先して表示するようにした場合、２回連続して通常メニューグループが選択表示されたということは、ユーザが替わったか、ユーザの意向が変わったかを意味しており、ユーザの意志を尊重したメニューグループの選択表示を行うことができることとなり、使い勝手が極めて良好となる。
【０１０７】
請求項５の発明におけるように、請求項１、２、３および４のいずれか一項記載の電気炊飯器において、前記通常メニューグループおよび無洗米メニューグループの選択表示中において操作部に設けられた取消しスイッチの操作が実行された場合には、当該選択表示中のメニューグループの初期設定を表示するようにした場合、メニューグループにおける各種メニューの選択時に取消しスイッチが操作されると、当該選択表示中のメニューグループの初期設定に戻ることとなっているので、同一のメニューグループにおいてメニュー選択を行えばよいこととなり、メニュー選択が容易となる。
【０１０８】
請求項６の発明におけるように、請求項１、２、３および４のいずれか一項記載の電気炊飯器において、前記通常メニューグループおよび無洗米メニューグループのうち優先して選択表示されているメニューグループと異なるメニューグループの選択表示を、操作部に設けられた特定の操作スイッチの操作により行うようにした場合、特定の操作スイッチ（例えば、再加熱スイッチ）の操作により、優先して選択表示されているメニューグループと異なるメニューグループを選択表示することができることとなり、専用のスイッチを設ける必要がなくなり、コストダウンに寄与する。
【図面の簡単な説明】
【図１】本願発明の実施の形態にかかる電気炊飯器の縦断面図である。
【図２】本願発明の実施の形態にかかる電気炊飯器における操作パネル部の正面図である。
【図３】本願発明の実施の形態にかかる電気炊飯器における制御回路部の結線図である。
【図４】本願発明の実施の形態にかかる電気炊飯器におけるメニュー選択表示制御（Ｉ）のフローチャートである。
【図５】本願発明の実施の形態にかかる電気炊飯器におけるメニュー選択表示制御（ＩＩ）のフローチャートである。
【図６】本願発明の実施の形態にかかる電気炊飯器におけるメニュー選択表示制御（ＩＩＩ）のフローチャートである。
【図７】本願発明の実施の形態にかかる電気炊飯器におけるメニュー選択表示制御（ＩＶ）のフローチャートである。
【符号の説明】
１は炊飯器本体、２は蓋体、３は飯器、８は温度検出手段（センタセンサー）、１０は加熱手段（ワークコイル）、４４は操作部（操作パネル部）、４７は取消しスイッチ、４９は再加熱スイッチ、５０はメニュースイッチ、５３は表示部（液晶表示装置）、６１はマイコン、Ａは通常メニューグループ、Ｂは無洗米メニューグループ。
【図１】
0003610963.tif 000002
【図２】
0003610963.tif 000003
【図３】
0003610963.tif 000004
【図４】
0003610963.tif 000005
【図５】
0003610963.tif 000006
【図６】
0003610963.tif 000007
【図７】
0003610963.tif 000008